(57)【要約】  道路スタッドにおいて、路面上に設置される表示部と、前記表示部の下部から延長されて路面の内側のアンカー挿入溝に埋入されるアンカーと、前記アンカーの軸線に対して、半径方向の外側に突出されて前記表示部が回転させられることを防止する回転防止突起と、を含む道路スタッド。
2005510642.tif 000002
【特許請求の範囲】
【請求項１】
道路スタッドにおいて、
路面上に設置される表示部と、
前記表示部の下部から延長されて路面の内側のアンカー挿入溝に埋入されるアンカーと、
前記アンカーの軸線に対して、半径方向の外側に突出されて前記表示部が回転させられることを防止する回転防止突起と、
を含むことを特徴とする道路スタッド。
【請求項２】
前記アンカーが圧入されるように板面にアンカー通過孔が形成されている補強プレートをさらに含み、前記回転防止突起は、前記補強プレートに形成されていることを特徴とする請求項１に記載の道路スタッド。
【請求項３】
前記回転防止突起は、前記補強プレートの板面を切り取り折曲することにより形成されることを特徴とする請求項２に記載の道路スタッド。
【請求項４】
前記回転防止突起の縁部面は、ラウンディング処理されていることを特徴とする請求項３に記載の道路スタッド。
【請求項５】
前記アンカー通過孔には、所定の切開線が形成されていることを特徴とする請求項２に記載の道路スタッド。
【請求項６】
前記補強プレートは、溶接により前記表示部の底部面に結合されることを特徴とする請求項２に記載の道路スタッド。
【請求項７】
前記回転防止突起は、前記表示部に設けられることを特徴とする請求項１に記載の道路スタッド。
【請求項８】
前記アンカーに結合され、前記アンカーの軸線に対して半径方向の外側に設けられて、前記アンカーが前記アンカー挿入溝から離脱される方向に沿って前記アンカー挿入溝の内壁面に弾性的に係止維持される係止部を有する弾性維持部材を含むことを特徴とする請求項１に記載の道路スタッド。
【請求項９】
前記弾性維持部材は、前記アンカーに結合される結合部と、前記結合部から延長されて前記アンカーの側部に円周方向に沿って配置され、前記アンカーの軸線に対して半径方向の外側に弾性付勢する複数の弾性係止板部を有することを特徴とする請求項８に記載の道路スタッド。
【請求項１０】
前記係止部は、前記各弾性係止板部の先端により形成されることを特徴とする請求項９に記載の道路スタッド。
【請求項１１】
前記各弾性係止板部の中で少なくともいずれか一つは、二重に形成されることを特徴とする請求項９に記載の道路スタッド。
【請求項１２】
前記弾性維持部材の結合部は、前記アンカーが締り嵌まる圧入孔からなることを特徴とする請求項９に記載の道路スタッド。
【請求項１３】
前記圧入孔には、所定の長さの区間に渡って切開線が形成されていることを特徴とする請求項１２に記載の道路スタッド。
【請求項１４】
前記アンカーが挿入される貫通孔を有し、前記弾性維持部材の下部に配置されて、前記アンカーから前記弾性維持部材が離脱することを防止する離脱防止ワシャーをさらに含むことを特徴とする請求項８に記載の道路スタッド。
【請求項１５】
前記弾性維持部材に設けられて、前記アンカーが前記アンカー挿入溝内に下向き沈没することを防止する沈没防止部をさらに含むことを特徴とする請求項８に記載の道路スタッド。
【請求項１６】
前記アンカーの端部領域には、段差部が形成されていることを特徴とする請求項８に記載の道路スタッド。
【請求項１７】
前記回転防止突起は、前記弾性係止板部に設けられることを特徴とする請求項９に記載の道路スタッド。
【請求項１８】
前記回転防止突起は、前記弾性係止板部の長手方向に対して横方向に前記弾性係止板部の両側縁部に沿って延長形成されていることを特徴とする請求項１７に記載の道路スタッド。
【発明の詳細な説明】
【技術分野】
【０００１】
本発明は、道路スタッドに関するものである。
【背景技術】
【０００２】
一般に、道路スタッドは、運転手が中央線を容易に認識できるように、舗装された道路の中央線に沿って所定の間隔をおいて設けられる。このような道路スタッドは、光が反射する反射体が設けられる表示部と、表示部の下部から延長されて路面内に埋入されるアンカーと、からなり、所定の条件に符合する規格品に製造される。
【０００３】
このような道路スタッドの施工方法は、まず、道路スタッドを設ける位置を決め、溝（‘アンカー溝’という）を掘る。この時、アンカー挿入溝の深さは、道路スタッドのアンカーの長さよりさらに深くする。次に、路面上の塵やオイル等の不純物を除去した後、接着剤をアンカー挿入溝に路面の位置まで注ぐ。
【０００４】
道路スタッドのアンカーをアンカー挿入溝内に挿入した後、道路スタッドの表示部に振動を与えながら、アンカーの側面に接着剤が十分に塗布されるようにする。次に、接着剤が完全に硬化する時まで放置した後、路面の外側に漏出した接着剤を掃除することにより道路スタッドの施工作業が終わる。
【０００５】
ところが、前記方法で施工される従来の道路スタッドは、その接地強度をただ接着剤の接着力にだけ依存しているので、外部振動が発生したり、あるいは、自動車の輪が道路スタッドを踏んで通過する場合、路面に対して表示部が回転させられる恐れもあるという問題がある。
【０００６】
以上のように表示部が回転させられると、反射体の設置角度が変わるので、中央線認識を容易にできるように設けられた道路スタッドがその機能を十分に発揮することができない。また、回転が頻繁になると、アンカー挿入溝から道路スタッドが離脱することもあり得るので、事故発生の要因として作用する可能性もある。
【発明の開示】
【発明が解決しようとする課題】
【０００７】
したがって、本発明の目的は、施工された道路スタッドが外力により任意に回転させられることを防止することである。
【０００８】
本発明の他の目的は、簡便に施工することができるだけでなく、施工に要する時間を減らすことができるようにした道路スタッドを提供することである。
【０００９】
また、本発明の他の目的は、施工時に発癌物質であるエポキシ樹脂のような接着剤を使用しないことにより、親環境的であり、再活用の容易な道路スタッドを提供することである。
【００１０】
さらに、本発明の他の目的は、空気中の相対湿度の数値、路面乾燥の状態等のような施工制約条件に関わらず、容易に施工することができる道路スタッドを提供することである。
【課題を解決するための手段】
【００１１】
上記の課題は、
道路スタッドにおいて、
路面上に設置される表示部と、
前記表示部の下部から延長されて路面の内側のアンカー挿入溝に埋入されるアンカーと、
前記アンカーの軸線に対して、半径方向の外側に突出されて前記表示部が回転させられることを防止する回転防止突起と、
を含むことを特徴とする道路スタッドによって解決される。
【００１２】
なお、前記アンカーが圧入されるように板面にアンカー通過孔が形成されている補強プレートをさらに含み、前記回転防止突起は、前記補強プレートに形成されていることが好ましい。
【００１３】
また、前記回転防止突起は、前記補強プレートの板面を切り取り折曲することにより形成されることが好ましい。
【００１４】
また前記回転防止突起の縁部面は、ラウンディング処理されていることが好ましい。
【００１５】
また、前記アンカー通過孔には、所定の切開線が形成されていることが好ましい。
【００１６】
また、前記補強プレートは、溶接により前記表示部の底部面に結合されることが好ましい。
【００１７】
また、前記回転防止突起は、前記表示部に設けられることが好ましい。
【００１８】
また、前記アンカーに結合され、前記アンカーの軸線に対して半径方向の外側に設けられて、前記アンカーが前記アンカー挿入溝から離脱される方向に沿って前記アンカー挿入溝の内壁面に弾性的に係止維持される係止部を有する弾性維持部材を含むことが好ましい。
【００１９】
また、前記弾性維持部材は、前記アンカーに結合される結合部と、前記結合部から延長されて前記アンカーの側部に円周方向に沿って配置され、前記アンカーの軸線に対して半径方向の外側に弾性付勢する複数の弾性係止板部を有することが好ましい。
【００２０】
また、前記係止部は、前記各弾性係止板部の先端により形成されることが好ましい。
【００２１】
また、前記各弾性係止板部の中で少なくともいずれか一つは、二重に形成されることが好ましい。
【００２２】
また、前記弾性維持部材の結合部は、前記アンカーが締り嵌まる圧入孔からなることが好ましい。
【００２３】
また、前記圧入孔には、所定の長さの区間に渡って切開線が形成されていることが好ましい。
【００２４】
また、前記アンカーが挿入される貫通孔を有し、前記弾性維持部材の下部に配置されて、前記アンカーから前記弾性維持部材が離脱することを防止する離脱防止ワシャーをさらに含むことが好ましい。
【００２５】
また、前記弾性維持部材に設けられて、前記アンカーが前記アンカー挿入溝内に下向き沈没することを防止する沈没防止部をさらに含むことが好ましい。
【００２６】
また、前記アンカーの端部領域には、段差部が形成されていることが好ましい。
【００２７】
また、前記回転防止突起は、前記弾性係止板部に設けられることが好ましい。
【００２８】
また、前記回転防止突起は、前記弾性係止板部の長手方向に対して横方向に前記弾性係止板部の両側縁部に沿って延長形成されていることが好ましい。
【発明を実施するための最良の形態】
【００２９】
以下では、各実施形態の中で、代表的な第１実施形態については詳細に説明し、他の実施形態については第１実施形態と異なる部分だけを簡略に説明する。また、詳細な説明で、各実施形態が有する同一の構成については、同一符号を付して説明する。
【００３０】
本発明の第１実施形態による道路スタッドは、図１ないし図３に示すように、道路の路面５上に露出されて車線を表示する表示部１０と、表示部１０の下部から延長されて路面５の内側のアンカー挿入溝７に埋設されるアンカー２０と、からなる。
【００３１】
路面５との接触面を形成する表示部１０は、折頭円錐状を有する。表示部１０の上面には広報用図案が刻印される図案刻印部１１が設けられており、側部には周り方向に沿って複数の反射体設置部１２が形成されている。反射体設置部１２には、光が乱反射する反射体１３が結合される。
【００３２】
本実施形態において、表示部１０は折頭円錐状になっており、自動車が道路スタッドを踏んで通過してもタイヤが破損することを防止する。しかし、表示部１０は、折頭四角ブロック形状を有することもできる。また、表示部１０の下部は、上側に向いて部分的に湾曲するように形成することもできる。これにより、後述する補強プレート３０を表示部１０の下部に設置し、道路スタッドを側面から透視すると、スカート部１５の厚さにより補強プレート３０の厚さを隠匿することもできる。
【００３３】
表示部１０とアンカー２０との間には、路面と並列に半径方向に延長されたスカート部１５が形成されている。スカート部１５は、路面５に密着されて、路面５と表示部１０との間の傾斜を緩慢に補償する。
【００３４】
アンカー２０は、後述する補強プレート３０のアンカー通過孔３１と整合されるように、横断面非円形状を有するように設けられているが、これも、円柱状（図８及び図９参照）を有するように構成することもできる。また、アンカー２０は、長手方向に沿って半径方向の内側に陥没した陥没溝２１を有する横断面非円形状にすることもできる（図１０参照）。このようなアンカー２０は、表示部１０と一体に製造することもでき、別に製造して表示部１０に溶接及びボルト結合等により結合することもできる。
【００３５】
一方、アンカー２０には、表示部１０が回転させられることを防止する補強プレート３０が結合されている。補強プレート３０の板面には、アンカー２０を通過されるアンカー通過孔３１が形成されている。アンカー通過孔３１は、アンカー２０の横断面形状と同一に形成されており、アンカー２０に締り嵌まる。
【００３６】
これにより、アンカー通過孔３１にアンカーが圧入されるように、補強プレート３０をアンカー２０に結合させると、補強プレート３０は、アンカー２０に対して回転しない。この時、アンカー通過孔３１に所定の切開線（図示せず）を形成して、アンカー２０がアンカー通過孔３１に容易に圧入されるようにすることもできる。
【００３７】
接触面９に配置される補強プレート３０には、板面から接触面９に対して横方向に突出されて路面５に挿入されることにより、表示部１０が回転させられることを防止する複数の回転防止突起３３が設けられている。
【００３８】
この時、回転防止突起３３は、別に製造して補強プレート３０に結合させることもできるが、本実施形態では、補強プレート３０の板面を切取って折曲することにより形成することができる。回転防止突起３３は、その先端３３ａが鋭利に形成されて路面５に容易に挿入することができ、その縁部面３３ｂは、ラウンディング処理されている。
【００３９】
このような構成による道路スタッドを施工する過程を図４を参照して説明する。
【００４０】
まず、アンカー２０を補強プレート３０に形成されたアンカー通過孔３１に圧入させて、補強プレート３０が表示部１０の下面に配置されるようにする。これにより、補強プレート３０に形成された回転防止突起３３は、下側に向く。この時、アンカー２０がアンカー通過孔３１に挿入された後には、補強プレート３０の回転を防止するために補強プレート３０を所定の角度に回転させることもできる（図３参照）。
【００４１】
補強プレート３０の設置が完了すると、道路スタッドを設置する位置を決め、路面５にアンカー挿入溝７を形成した後、路面５上の塵やオイル等の不純物を除去する。
【００４２】
次に、接着剤をアンカー挿入溝７に路面５の位置まで注いだ後、道路スタッドのアンカー２０をアンカー挿入溝７内に挿入する。アンカー挿入溝７にアンカー２０を挿入する過程で表示部１０を下向き加圧することにより、補強プレート３０に形成された回転防止突起３３が路面５に挿入され、道路スタッドの施工が完了すると、回転防止突起３３により道路スタッドは回転しない。
【００４３】
道路スタッドの表示部１０に振動を与えながらアンカー２０の側面に接着剤が十分に塗布されるようにした後、接着剤が完全に硬化する時まで放置し、路面５の外側に漏出した接着剤を掃除することにより道路スタッドの施工作業が終わる。
【００４４】
このように、本発明では、表示部１０側から接触面９に横方向に突出させられて路面５に挿入される回転防止突起３３を設けることにより、施工完了した道路スタッドが外力により回転させられることを防止することができる。
【００４５】
一方、前述した実施形態以外にも、補強プレート３０の形状は、本発明の第２実施形態に示した図５ないし図７のように形成することもできる。すなわち、四角板状のプレートを設け、各辺の一部分を切取って板面に対して垂直に立てて回転防止突起３３を形成し、中央板面にはアンカー２０が圧入されることができるようにアンカー通過孔３１を貫通させることもできる。アンカー通過孔３１には、切開線ａを設けることにより、アンカー２０の圧入が容易に行われるようにする。各、回転防止突起３３の先端３３ａは、第１実施形態よりさらに鋭利に設けることができるので、路面５に容易に挿入することができる。第２実施形態による他の構成及び施工方法は、前述の第１実施形態と同一なので、それに対する説明は省略する。
【００４６】
前述した第１実施形態及び第２実施形態では、別の補強プレート３０を設け、この補強プレート３０に回転防止突起３３を形成することについて説明した。しかし、本発明の第３実施形態及び第４実施形態を示した図８及び図９に示すように、回転防止突起３３を表示部１０に設けることもできる。表示部１０の下面は、平らな板状になっている。
【００４７】
図８は、回転防止突起３３を表示部１０に一体に成形したり、回転防止突起３３が表示部１０に溶接されている状態を示している。しかし、図９に示すように、回転防止突起３３と表示部１０の材質が異なって、相互に溶接されない場合には、回転防止突起３３にフランジ部３９を形成してフランジ部３９と表示部１０とを相互にネジ３８結合させたり、リベット結合（図示せず）させることができる。
【００４８】
一方、図１０ないし図１２は、本発明の第５実施形態である。アンカー２０は、後述する弾性維持部材４０の圧入孔４１及び離脱防止ワシャー４５の貫通孔４７、また補強プレート３０のアンカー通過孔３１との整合のための横断面非円形状を有するようになっている。すなわち、長手方向に沿って半径方向の内側に陥没された陥没溝２１を有する横断面八角面体になっている。アンカー２０は、表示部１０とボルト２５により結合されている。
【００４９】
アンカー２０の端部には、段差部２３が形成されている。本実施形態において、段差部２３は、圧入孔４１、貫通孔４７が圧入されて結合される部分として利用されている。しかし、アンカー２０に別途の段差部２３が形成されない場合には、圧入孔４１、貫通孔４７のサイズを大きくして、アンカー２０に結合させる。また、段差部２３はその形状を変更することもできる。
【００５０】
弾性維持部材４０は、アンカー２０の段差部２３に結合される結合部と、結合部から延長されてアンカー２０の側部に隣接配置され、アンカー２０がアンカー挿入溝７から離脱しないようにアンカー２０の軸線に対して半径方向の外側に弾性付勢する弾性係止板部４３を有する。
【００５１】
結合部としては、アンカー２０の段差部２３の断面形状とほとんど同一の形状及びサイズに穿孔されて、段差部２３に締り嵌まる圧入孔４１が採用されている。この時、圧入孔４１には、所定の長さの区間に渡って切開線（図示せず）を形成することができる。これにより、アンカー２０の段差部２３を圧入孔４１に締り嵌める場合、切開線が開いて、アンカー２０が圧入孔４１に容易に圧入されるようにする。しかし、アンカー２０が圧入孔４１内に完全に圧入された後には、開いた切開線が再びアンカー２０の側部に密着することにより、弾性維持部材４０はアンカー２０の段差部２３から容易に離脱しない。一方、結合部としては、前述した圧入孔４１の以外にもボルト４２（図１８及び図２１参照）等で代替してアンカー２０に弾性維持部材４０を結合させることもでき、溶接等による方法を適用することもできる。
【００５２】
結合部から延長された弾性係止板部４３は、複数個が設けられてアンカー２０の円周方向に沿って配置される。このような弾性係止板部４３は、アンカー２０の軸線に対して半径方向の外側に弾性付勢する。したがって、アンカー２０がアンカー挿入溝７に挿入される時、弾性係止板部４３の先端は、アンカー２０の側部の側に曲り、アンカー２０がアンカー挿入溝７に完全に挿入されると、半径方向の外側に弾性付勢してアンカー挿入溝７の内壁面を接触支持することになる。
【００５３】
弾性係止板部４３には、アンカー２０の側面の曲率に対応する曲率面が形成されることが有利である。弾性係止板部４３の先端は、アンカー２０がアンカー挿入溝７から離脱される方向に沿ってアンカー挿入溝７の内壁面に係止維持される係止部４４を形成する。
【００５４】
アンカー２０の段差部２３には、板面に貫通孔４７が形成された離脱防止ワシャー４５が介在される。離脱防止ワシャー４５は、弾性維持部材４０の下部に配置されてアンカー２０の段差部２３から弾性維持部材４０が離脱されることを防止する。貫通孔４７にも、切開先（図示せず）を設けて、圧入作業が容易に行われるようにすることがより効果的である。
【００５５】
一方、アンカー２０には、路面５に施工された表示部１０が外力により任意に回転させられることを防止する補強プレート３０が結合されている。補強プレート３０の板面には、アンカー２０が通過するアンカー通過孔３１が形成されている。アンカー通過孔３１は、アンカー２０の横断面形状とサイズ及び模様が実質的に同一に形成されてアンカー２０に締り嵌まるようにする。
【００５６】
アンカー通過孔３１にアンカー２０が圧入されるようにして、補強プレート３０をアンカー２０に締り嵌めると、補強プレート３０は、アンカー２０に対して回転しない。この時、アンカー通過孔３１にも所定の切開線（図示せず）を形成してアンカー２０がアンカー通過孔３１に容易に圧入されるようにすることができる。
【００５７】
補強プレート３０には、板面から接触面９（図１５参照）に対して、横方向に突出させられて路面５に挿入されることにより、表示部１０が回転させられることを防止する複数の回転防止突起３３が設けられている。
【００５８】
このような構成により、補強プレート３０と弾性維持部材４０を道路スタッドに組立てた後、路面５に施工する過程を図１３ないし図１５を参照して説明すると次の通りである。
【００５９】
まず、アンカー２０を補強プレート３０に形成されたアンカー通過孔３１に圧入させて、補強プレート３０が表示部１０の下面に配置されるようにする。これにより、補強プレート３０に形成された回転防止突起３３が下側に向くようになる。この時、アンカー２０がアンカー通過孔３１に挿入された後には、補強プレート３０の回転を防止するための補強プレート３０を所定の角度に回転させることもできる（図１１参照）。
【００６０】
補強プレート３０の結合が完了すると、これにより、弾性維持部材４０をアンカー２０の段差部２３に結合させるために、アンカー２０の段差部２３を弾性維持部材４０の圧入孔に圧入させる。これにより、圧入孔４１に形成された切開線が開いてアンカー２０の段差部２３圧入孔４１に容易に圧入されることができる。アンカー２０の圧入が完了すると、開いた切開線が弾性により再び段差部２３の側部に密着することにより、弾性維持部材４０はアンカー２０から離脱しない。その後、アンカー２０の段差部２３に離脱防止ワシャー４５を圧入して、弾性維持部材４０がアンカー２０の下端に離脱しないようにする。
【００６１】
補強プレート３０及び弾性維持部材４０の結合が完了すると、道路スタッドを設置する位置を決め、路面５の適切な位置にアンカー挿入溝７を形成する。この時、前述した第１ないし第４実施形態では、接着剤を利用するために路面５上の塵やオイル等の不純物を除去する作業を必ず行ったが、本実施形態ではこのような作業は別に必要ない。したがって、施工が便利であり、施工に所要される時間を減らすことができる。
【００６２】
次に、アンカー挿入溝７にアンカー２０を対応配置した後、道路スタッドをアンカー挿入溝７側に向けて加圧する。これにより、弾性係止板部４３の先端の係止部４４がアンカー２０の側部側に曲ってアンカー２０がアンカー挿入溝７に挿入され、アンカー２０の挿入が完了すると弾性係止板部４３は、半径方向の外側に弾性付勢する。（Θ１〜Θ３）この時、弾性係止板部４３の先端の係止部４４は、アンカー挿入溝７の内壁面を接触支持することになって、アンカー２０がアンカー挿入溝７から離脱することを防止する。
【００６３】
アンカー挿入溝７にアンカー２０を挿入する過程で、表示部１０に向いて下向き加圧することになると、補強プレート４０に形成された回転防止突起３３は路面５に挿入される。したがって、施工の完了後、道路スタッドは、外力により任意に回転させられない。
【００６４】
本実施形態の図面は、弾性係止板部４３の先端係止部４４がアンカー挿入溝７の内面に浸透されるように示しており、弾性係止板部４３とアンカー挿入溝７の内壁面との間の空間が比較的に広く示されているが、これは説明及び図面の理解のために誇張して示したもので、実際は空間がほとんど発生しない。
【００６５】
一方、路面５から道路スタッドを撤去する場合、道路スタッドを上側に取り上げる。これにより、弾性係止板部４３は、弾性の限界を外れて、図面の時計方向に曲り、係止部４４は、下側に向く。この時、道路スタッドの表示部１０を上側に取り上げると道路スタッドの撤去作業が容易に終わる。
【００６６】
このように、本発明による道路スタッドの設置作業は、とても簡単に完了し、施工に要する時間も厳格に減少する。また、本発明による道路スタッドは、発癌物質であるエポキシ樹脂のような接着剤を使用しないので、親環境的であるという長所を有する。
【００６７】
また、空気中の相対湿度の数値、路面５の乾燥状態等のような施工制約条件に関わらず、容易に施工することができ、回転防止突起３３により施工完了した道路スタッドが路面５上で回転させられることを防止することができる。
【００６８】
また、第６実施形態は、図１６に示すように、係止部４４が形成された弾性維持部材４０を二重にすることもできる。
【００６９】
第７実施形態として、図１７に示すように、弾性係止部４３の板面を穿孔して、補助係止部５０を設けると、本発明の効果をさらに高めることができる。この時、各係止部の中で、少なくともいずれか一つはその方向を反対にした沈没防止部５１として、アンカー２０がアンカー挿入溝７内で下向き沈没することを防止することができる。
【００７０】
また、図１８に示すように、第８実施形態として弾性維持部材４０が設けられる道路スタッドは、弾性維持部材４０の結合部として前述した圧入孔４１以外にもボルト４２を利用してアンカー２０に弾性維持部材４０を結合する構成を有する。
【００７１】
図１９に示すように、第９実施形態として弾性維持部材４０が設けられる道路スタッドは、前述した実施形態とは異なり、アンカー２０が横断面非円形状を有するように構成されている。
【００７２】
前述した第５ないし図９実施形態の弾性維持部材４０が設けられる道路スタッドは、別途の補強プレート３０を設け、この補強プレート３０に回転防止突起３３を形成することについて説明した。しかし、第１０実施形態として図２０に示すように、回転防止突起３３を表示部１０の下面に一体に設けることができる。
【００７３】
しかし、第１１実施形態として図２１に示すように、回転防止突起３３と表示部１０の材質が異なって相互に溶接されない場合には、回転防止突起３３に別途のフランジ部３９を形成してフランジ部３９と表示部１０とを相互にネジ３８結合、リベット結合（図示せず）させることもできる。
【００７４】
一方、第１２実施形態として図２２ないし図２５に示すように、アンカー２０は、陥没溝２１を有する横断面非円状を有し、一対の弾性係止板部４３がアンカー２０の軸線に対して対向配置されている。弾性維持部材４０の弾性係止板部４３の両側の縁部には、弾性係止板部４３の長手方向に対して横方向に回転防止突起３３が延長されて形成されている。回転防止突起３３の縁部の一領域は、板面から切取って、これにより回転防止突起３３は、戻り形状（Barb）を有し、アンカー挿入溝７の内壁面に圧入される。また、弾性係り止板部４３の板面には、穿孔された補助係止部５０が設けられている。これにより、回転防止突起３３を前述した実施形態のように、補強プレート３０や表示部１０の下面ではなく、弾性係止板部４３の両側縁部に設け、また、弾性係止板部４３の板面に補助係止部５０を設けることにより、アンカー２０がアンカー挿入溝７から離脱されることを防止できるだけでなく、表示部１０が外力により任意に回転させられることが防止され、本発明の目的を達成することができる。ここで、アンカー２０は、陥没溝２１が形成されない横断面非円形状を有したり、円柱形状を有するように選択的に構成することもできる。
【００７５】
一方、前述した実施形態では、識別パターンが形成された表示部に関して説明しているが、表示部内に別途の発光手段が設けられた道路スタッドにも本発明の思想を適用することができる。
【００７６】
以上のように、本発明によると、施工された道路スタッドが外力により任意に回転させられることを防止することができる。
【００７７】
また、簡便に施工することができるだけでなく、施工に要する時間を減らすことができる。
【００７８】
さらに、施工時に発癌物質であるエポキシ樹脂のような接着剤を利用しないので、親環境的であり容易に再活用することができる。
【００７９】
また、空気中の相対湿度の数値、路面の乾燥状態等のような施工制約条件に関わらず、容易に施工することができる。
【図面の簡単な説明】
【００８０】
【図１】本発明の第１実施形態による道路スタッドと補強プレートの分解斜視図である。
【図２】図１の背面斜視図である。
【図３】図２の結合状態の斜視図である。
【図４】本発明の第１実施形態による道路スタッドが路面に施工された状態を示した部分断面図である。
【図５】本発明の第２実施形態による道路スタッドと補強プレートの背面分解斜視図である。
【図６】図５の結合状態の斜視図である。
【図７】図６の道路スタッドが施工された状態を示した部分断面図である。
【図８】本発明の第３実施形態による道路スタッドの背面斜視図である。
【図９】本発明の第４実施形態による道路スタッドの背面斜視図である。
【図１０】本発明の第５実施形態による道路スタッドの斜視図である。
【図１１】図１０の背面斜視図である。
【図１２】図１１の分解斜視図である。
【図１３】本発明の第５実施形態による道路スタッドの施工過程を段階的に示した断面図である。
【図１４】本発明の第５実施形態による道路スタッドの施工過程を段階的に示した断面図である。
【図１５】本発明の第５実施形態による道路スタッドの施工過程を段階的に示した断面図である。
【図１６】本発明の第６実施形態による道路スタッドの設置状態を示した断面図である。
【図１７】本発明の第７実施形態による道路スタッドの設置状態を示した断面図である。
【図１８】本発明の第８実施形態による道路スタッドの背面分解斜視図である。
【図１９】本発明の第９実施形態による道路スタッドの背面分解斜視図である。
【図２０】本発明の第１０実施形態による道路スタッドの背面分解斜視図である。
【図２１】本発明の第１１実施形態による道路スタッドの背面分解斜視図である。
【図２２】本発明の第１２実施形態による道路スタッドの斜視図である。
【図２３】図２２の背面斜視図である。
【図２４】図２３の分解斜視図である。
【図２５】本発明の第１２実施形態による道路スタッドが路面に施工された状態を示した部分断面図である。
【符号の説明】
【００８１】
５  路面
７  アンカー挿入溝
９  接触面
１０  表示部
１１  図案刻印部
１２  反射体設置部
１３  反射体
１５  スカート部
２０  アンカー
２１  陥没溝
２３  段差部
２５  ボルト
３０  補強プレート
３１  アンカー通過孔
３３  回転防止突起
３３ａ  回転防止突起の先端
３３ｂ  回転防止突起の縁部面
３８  ネジ
３９  フランジ部
４０  弾性維持部材
４１  圧入孔
４２  ボルト
４３  弾性係止板部
４４  係止部
４５  離脱防止ワシャー
４７  貫通孔
５０  補助係止部
５１  沈没防止部
【図１】
2005510642.tif 000003
【図２】
2005510642.tif 000004
【図３】
2005510642.tif 000005
【図４】
2005510642.tif 000006
【図５】
2005510642.tif 000007
【図６】
2005510642.tif 000008
【図７】
2005510642.tif 000009
【図８】
2005510642.tif 000010
【図９】
2005510642.tif 000011
【図１０】
2005510642.tif 000012
【図１１】
2005510642.tif 000013
【図１２】
2005510642.tif 000014
【図１３】
2005510642.tif 000015
【図１４】
2005510642.tif 000016
【図１５】
2005510642.tif 000017
【図１６】
2005510642.tif 000018
【図１７】
2005510642.tif 000019
【図１８】
2005510642.tif 000020
【図１９】
2005510642.tif 000021
【図２０】
2005510642.tif 000022
【図２１】
2005510642.tif 000023
【図２２】
2005510642.tif 000024
【図２３】
2005510642.tif 000025
【図２４】
2005510642.tif 000026
【図２５】
2005510642.tif 000027